(57)【要約】【課題】  ＩＣタグが埋め込まれたラベルやテープを文書等の物品に貼着しておき、ＩＣタグサーチ装置を用いて前記物品を簡易に探査することができる物品探査システムおよび物品探査方法を提供する。【解決手段】  物品情報入力装置１１、貼着体ホルダ１２１と、ＩＤ読取り装置１２２と、物品情報を粘着ラベルまたはテープに印刷する印刷装置１２３とを備えた本体装置１２、ＩＤと物品情報とを関連付けて、これらをサーチ情報として記憶するサーチ情報記憶装置１３、および、ＩＣタグＴをＩＣタグサーチアンテナにより無線サーチするサーチ回路とを備えたＩＣタグサーチ装置１４を有してなる。【選択図】    図１
2006220568.tif 000002
【特許請求の範囲】
【請求項１】
物品情報入力装置、
ＩＤ付きのＩＣタグが埋め込まれた粘着ラベルまたはテープがセットされる貼着体ホルダと、
前記貼着体ホルダにセットされた前記粘着ラベルまたはテープに埋め込まれた前記ＩＣタグの前記ＩＤを読み取るＩＤ読取り装置と、
前記物品情報入力装置から入力された前記物品情報を前記粘着ラベルまたはテープに印刷する印刷装置と、
を備えた本体装置、
前記ＩＤ読取り装置により読み取った前記ＩＤと前記物品情報入力装置から入力された前記物品情報とを関連付けて、これらをサーチ情報として記憶するサーチ情報記憶装置、および、
サーチ対象となる物品に埋め込まれたＩＣタグのＩＤを前記サーチ情報記憶装置から取得するサーチ対象ＩＤ取得装置と、当該ＩＤを持つＩＣタグをＩＣタグサーチアンテナにより無線サーチするサーチ回路とを備えたＩＣタグサーチ装置、
を有してなることを特徴とする物品探査システム。
【請求項２】
前記ＩＣタグサーチ装置は、前記本体装置と別体に構成されていることを特徴とする請求項１に記載の物品探査システム。
【請求項３】
前記物品情報入力装置は、前記本体装置または前記ＩＣタグサーチ装置と一体に構成されていることを特徴とする請求項１または２に記載の物品探査システム。
【請求項４】
前記物品情報が書類情報であることを特徴とする請求項１から３の何れかに記載の物品探査システム。
【請求項５】
前記物品情報入力装置には、前記書類情報をイメージで読み取るイメージスキャナが付属してなることを特徴とする請求項４に記載の物品探査システム。
【請求項６】
前記本体装置は、前記ＩＣタグに情報を書き込むＩＣタグ書込み装置を備えたことを特徴とする請求項１から５の何れかに記載の物品探査システム。
【請求項７】
物品情報入力装置、
ＩＣタグが埋め込まれた粘着ラベルまたはテープがセットされる貼着体ホルダと、
前記貼着体ホルダにセットされた前記粘着ラベルまたはテープに埋め込まれた前記ＩＣタグにＩＤを書き込むＩＤ書込み装置と、
前記物品情報入力装置から入力された前記物品情報を前記粘着ラベルまたはテープに印刷する印刷装置と、
を備えた本体装置、
前記ＩＤ書込み装置により書き込んだ前記ＩＤと前記物品情報入力装置から入力された前記物品情報とを関連付けて、これらをサーチ情報として記憶するサーチ情報記憶装置、および、
サーチ対象となる物品に埋め込まれたＩＣタグのＩＤを前記サーチ情報記憶装置から取得するサーチ対象ＩＤ取得装置と、当該ＩＤを持つＩＣタグをＩＣタグサーチアンテナにより無線サーチするサーチ回路とを備えたＩＣタグサーチ装置、
を有してなることを特徴とする物品探査システム。
【請求項８】
前記ＩＣタグサーチ装置は、前記本体装置と別体に構成されていることを特徴とする請求項７に記載の物品探査システム。
【請求項９】
前記物品情報入力装置は、前記本体装置または前記ＩＣタグサーチ装置と一体に構成されていることを特徴とする請求項７または８に記載の物品探査システム。
【請求項１０】
前記物品情報が書類情報であることを特徴とする請求項７から９の何れかに記載の物品探査システム。
【請求項１１】
前記物品情報入力装置には、前記書類情報をイメージで読み取るイメージスキャナが付属してなることを特徴とする請求項１０に記載の物品探査システム。
【請求項１２】
物品情報を物品情報入力装置を用いて取得する物品情報取得ステップ、
貼着体ホルダにセットされた、ＩＣタグが埋め込まれた粘着ラベルまたはテープの前記ＩＣタグのＩＤをＩＤ読取り装置により読み取るＩＤ読取りステップと、
前記物品情報取得ステップにおいて取得した前記物品情報を前記粘着ラベルまたはテープに印刷装置により印刷する物品情報印刷ステップと、
前記物品情報取得ステップにおいて取得した前記物品情報と前記ＩＤ読取りステップにおいて読み取った前記ＩＤとを関連付けて、これらをサーチ情報としてサーチ情報記憶装置に記憶するサーチ情報記憶ステップと、
前記物品情報印刷ステップにおいて前記物品情報が印刷された前記粘着ラベルまたはテープを物品に貼着する貼着ステップと、
サーチ対象となる物品に埋め込まれたＩＣタグのＩＤを前記サーチ情報記憶装置から取得し、当該ＩＤをもつＩＣタグをＩＣタグサーチ装置により無線サーチするＩＣタグサーチステップと、
を有することを特徴とする物品探査方法。
【請求項１３】
前記物品情報が書類情報であることを特徴とする請求項１２に記載の物品探査方法。
【請求項１４】
物品情報を物品情報入力装置を用いて取得する物品情報取得ステップ、
貼着体ホルダにセットされた、ＩＣタグが埋め込まれた粘着ラベルまたはテープの前記ＩＣタグにＩＤをＩＤ書込み装置により書き込むＩＤ書込みステップと、
前記物品情報取得ステップにおいて取得した前記物品情報を前記粘着ラベルまたはテープに印刷装置により印刷する物品情報印刷ステップと、
前記物品情報取得ステップにおいて取得した前記物品情報と前記ＩＤ書込みステップにおいて書き込んだ前記ＩＤとを関連付けて、これらをサーチ情報としてサーチ情報記憶装置に記憶するサーチ情報記憶ステップと、
前記物品情報印刷ステップにおいて前記物品情報が印刷された前記粘着ラベルまたはテープを物品に貼着する貼着ステップと、
サーチ対象となる物品に埋め込まれたＩＣタグのＩＤを前記サーチ情報記憶装置から取得し、当該ＩＤをもつＩＣタグをＩＣタグサーチ装置により無線サーチするＩＣタグサーチステップと、
を有することを特徴とする物品探査方法。
【請求項１５】
前記物品情報が書類情報であることを特徴とする請求項１４に記載の物品探査方法。
【発明の詳細な説明】
【技術分野】
【０００１】
本発明は、ＩＣタグが埋め込まれたラベルやテープを文書等の物品に貼着しておき、ＩＣタグサーチ装置を用いて前記物品を簡易に探査することができる物品探査システムおよび物品探査方法に関する。
【背景技術】
【０００２】
従来、たとえば図書館において、ＩＣタグが埋め込まれたラベルやテープを書籍に貼着しておき、当該書物を管理するシステムが知られている。
この種のシステムはＩＣタグと、ＩＣタグと通信を行うアンテナと、当該アンテナに接続された通信装置とからなる。
【発明の開示】
【発明が解決しようとする課題】
【０００３】
ところで、たとえば図書館において書籍を管理するような場合、書籍にＩＤを情報として持つＩＣタグが埋め込まれたラベルやテープを貼着しておき、各棚の段ごとにアンテナを配置する。そして、通信装置により全てのＩＣタグにアクセスし、ＩＣタグのＩＤを取得することで所定の書籍の棚および段の位置を特定している。このため、アンテナが多数必要となるし通信装置も複雑な構成（したがってシステム自体も高価である）となる。したがって、個人が書類の整理をするために既存のシステムを利用することは現実的でない。
【０００４】
一方、アンテナと通信装置とが一体となった携帯型の機器も提供されているが、やはり特定のＩＤタグのみをサーチするようには構成されていないため、この携帯型機器も、個人が書類の整理をするために利用するには不向きである。
本発明の目的は、ＩＣタグが埋め込まれたラベルやテープを文書等の物品に貼着しておき、ＩＣタグサーチ装置を用いて前記物品を簡易に探査することができる物品探査システムおよび物品探査方法を提供することにある。
【課題を解決するための手段】
【０００５】
本発明は、
（１）「  物品情報入力装置、
ＩＤ付きのＩＣタグが埋め込まれた粘着ラベルまたはテープがセットされる貼着体ホルダと、
前記貼着体ホルダにセットされた前記粘着ラベルまたはテープに埋め込まれた前記ＩＣタグの前記ＩＤを読み取るＩＤ読取り装置と、
前記物品情報入力装置から入力された前記物品情報を前記粘着ラベルまたはテープに印刷する印刷装置と、
を備えた本体装置、
前記ＩＤ読取り装置により読み取った前記ＩＤと前記物品情報入力装置から入力された前記物品情報とを関連付けて、これらをサーチ情報として記憶するサーチ情報記憶装置、および、
サーチ対象となる物品に埋め込まれたＩＣタグのＩＤを前記サーチ情報記憶装置から取得するサーチ対象ＩＤ取得装置と、当該ＩＤを持つＩＣタグをＩＣタグサーチアンテナにより無線サーチするサーチ回路とを備えたＩＣタグサーチ装置、
を有してなることを特徴とする物品探査システム。」
を要旨とする。
【０００６】
本発明は、
（２）「前記ＩＣタグサーチ装置は、前記本体装置と別体に構成されていることを特徴とする（１）に記載の物品探査システム。」を要旨とする。
【０００７】
本発明は、
（３）「前記物品情報入力装置は、前記本体装置または前記ＩＣタグサーチ装置と一体に構成されていることを特徴とする（１）または（２）に記載の物品探査システム。」
を要旨とする。
【０００８】
本発明は、
（４）「前記物品情報が書類情報であることを特徴とする（１）から（３）の何れかに記載の物品探査システム。」
を要旨とする。
【０００９】
本発明は、
（５）「前記物品情報入力装置には、前記書類情報をイメージで読み取るイメージスキャナが付属してなることを特徴とする（４）に記載の物品探査システム。」
を要旨とする。
【００１０】
本発明は、
（６）「前記本体装置は、前記ＩＣタグに情報を書き込むＩＣタグ書込み装置を備えたことを特徴とする（１）から（５）の何れかに記載の物品探査システム。」
を要旨とする。
【００１１】
本発明は、
（７）「物品情報入力装置、
ＩＣタグが埋め込まれた粘着ラベルまたはテープがセットされる貼着体ホルダと、
前記貼着体ホルダにセットされた前記粘着ラベルまたはテープに埋め込まれた前記ＩＣタグにＩＤを書き込むＩＤ書込み装置と、
前記物品情報入力装置から入力された前記物品情報を前記粘着ラベルまたはテープに印刷する印刷装置と、
を備えた本体装置、
前記ＩＤ書込み装置により書き込んだ前記ＩＤと前記物品情報入力装置から入力された前記物品情報とを関連付けて、これらをサーチ情報として記憶するサーチ情報記憶装置、および、
サーチ対象となる物品に埋め込まれたＩＣタグのＩＤを前記サーチ情報記憶装置から取得するサーチ対象ＩＤ取得装置と、当該ＩＤを持つＩＣタグをＩＣタグサーチアンテナにより無線サーチするサーチ回路とを備えたＩＣタグサーチ装置、
を有してなることを特徴とする物品探査システム。」
を要旨とする。
【００１２】
本発明は、
（８）「前記ＩＣタグサーチ装置は、前記本体装置と別体に構成されていることを特徴とする（７）に記載の物品探査システム。」
を要旨とする。
【００１３】
本発明は、
（９）「前記物品情報入力装置は、前記本体装置または前記ＩＣタグサーチ装置と一体に構成されていることを特徴とする（７）または（８）に記載の物品探査システム。」
を要旨とする。
【００１４】
本発明は、
（１０）「前記物品情報が書類情報であることを特徴とする（７）から（９）の何れかに記載の物品探査システム。」
を要旨とする。
【００１５】
本発明は、
（１１）「前記物品情報入力装置には、前記書類情報をイメージで読み取るイメージスキャナが付属してなることを特徴とする（１０）に記載の物品探査システム。」
を要旨とする。
【００１６】
本発明は、
（１２）「物品情報を物品情報入力装置を用いて取得する物品情報取得ステップ、
貼着体ホルダにセットされた、ＩＣタグが埋め込まれた粘着ラベルまたはテープの前記ＩＣタグのＩＤをＩＤ読取り装置により読み取るＩＤ読取りステップと、
前記物品情報取得ステップにおいて取得した前記物品情報を前記粘着ラベルまたはテープに印刷装置により印刷する物品情報印刷ステップと、
前記物品情報取得ステップにおいて取得した前記物品情報と前記ＩＤ読取りステップにおいて読み取った前記ＩＤとを関連付けて、これらをサーチ情報としてサーチ情報記憶装置に記憶するサーチ情報記憶ステップと、
前記物品情報印刷ステップにおいて前記物品情報が印刷された前記粘着ラベルまたはテープを物品に貼着する貼着ステップと、
サーチ対象となる物品に埋め込まれたＩＣタグのＩＤを前記サーチ情報記憶装置から取得し、当該ＩＤをもつＩＣタグをＩＣタグサーチ装置により無線サーチするＩＣタグサーチステップと、
を有することを特徴とする物品探査方法。」
を要旨とする。
【００１７】
本発明は、
（１３）「前記物品情報が書類情報であることを特徴とする（１２）に記載の物品探査方法。」
を要旨とする。
【００１８】
本発明は、
（１４）「物品情報を物品情報入力装置を用いて取得する物品情報取得ステップ、
貼着体ホルダにセットされた、ＩＣタグが埋め込まれた粘着ラベルまたはテープの前記ＩＣタグにＩＤをＩＤ書込み装置により書き込むＩＤ書込みステップと、
前記物品情報取得ステップにおいて取得した前記物品情報を前記粘着ラベルまたはテープに印刷装置により印刷する物品情報印刷ステップと、
前記物品情報取得ステップにおいて取得した前記物品情報と前記ＩＤ書込みステップにおいて書き込んだ前記ＩＤとを関連付けて、これらをサーチ情報としてサーチ情報記憶装置に記憶するサーチ情報記憶ステップと、
前記物品情報印刷ステップにおいて前記物品情報が印刷された前記粘着ラベルまたはテープを物品に貼着する貼着ステップと、
サーチ対象となる物品に埋め込まれたＩＣタグのＩＤを前記サーチ情報記憶装置から取得し、当該ＩＤをもつＩＣタグをＩＣタグサーチ装置により無線サーチするＩＣタグサーチステップと、
を有することを特徴とする物品探査方法。」
を要旨とする。
【００１９】
本発明は、
（１５）「前記物品情報が書類情報であることを特徴とする（１４）に記載の物品探査方法。」
を要旨とする。
【発明の効果】
【００２０】
本発明によれば、ＩＣタグが埋め込まれたラベルやテープを文書等の物品に貼着しておき、ＩＣタグサーチ装置を用いて前記物品を簡易に探査することができる。
【発明を実施するための最良の形態】
【００２１】
図１から図４により本発明の物品探査システムの第１実施形態を説明する。
図１において、物品探査システム１は、物品情報入力装置（図１では文書情報入力装置１１）、本体装置１２、サーチ情報記憶装置１３と、およびＩＣタグサーチ装置１４とを備えている。
【００２２】
文書情報入力装置１１は、ユーザが物品情報（図１では文書Ｄの文書情報Ｉ）を入力する装置であり、たとえばキーボード，マウス、あるいはイメージスキャナである。文書情報入力装置１１がキーボードである場合、文書情報Ｉは、ユーザにより選択される文書Ｄの特徴を示すキーワード、入力時等の日時等（たとえば、年月日またはあるいは年月日を含む時刻）である。文書情報入力装置１１がイメージスキャナである場合、文書情報Ｉはイメージで読み取った文字がＡＳＣＩＩ，ＪＩＳ等のコードに変換されてなる文字列（文書見出し等、文書Ｄの特徴を表す文字列）である。
【００２３】
本体装置１２は、貼着体ホルダ１２１と、ＩＤ読取り装置１２２と、印刷装置１２３とを備えている。貼着体ホルダ１２１には、ＩＤ付きのＩＣタグＴが埋め込まれた粘着ラベルまたはテープ（図１では粘着テープＡ）がセットされる。ＩＤ読取り装置１２２は、貼着体ホルダ１２１にセットされた粘着テープＡに埋め込まれたＩＣタグＴのＩＤを読み取る。印刷装置１２３は、文書情報入力装置１１から入力された文書情報Ｉを粘着テープＡに印刷する。
【００２４】
サーチ情報記憶装置１３は、ＩＤ読取り装置１２２により読み取ったＩＤと文書情報入力装置１１から入力された文書情報Ｉとを関連付け、これらをサーチ情報ＳＩｎｆとして記憶する。サーチ情報記憶装置１３はたとえばパーソナルコンピュータに搭載されたハードディスク等の外部記憶装置である。
【００２５】
ＩＣタグサーチ装置１４は、サーチ対象ＩＤ取得装置１４１と、サーチ回路１４２と、ＩＣタグサーチアンテナ１４３と、インジケータ１４４とを備えている。サーチ対象ＩＤ取得装置１４１は、サーチ対象となる文書Ｄに埋め込まれたＩＣタグＴのＩＤをサーチ情報記憶装置１３から取得する。サーチ回路１４２は、当該ＩＤを持つＩＣタグＴをＩＣタグサーチアンテナ１４３により無線サーチするもので、後述するようにＩＣタグＴから応答があったときは受信信号の強度情報をインジケータ１４４に送出することができる。
【００２６】
ＩＣタグサーチアンテナ１４３の送受信指向性は、本実施形態ではたとえば５°ないし１５°程度に設定されている、図１ではＩＣタグサーチアンテナ１４３はループアンテナとしてある。図１ではインジケータ１４４は、サーチ回路１４２から受け取った強度情報に応じて表示部に強度表示を行う（図１では、強度が大きいほど高い目盛りを指示する表示）とともに、発振音（図１では、強度が大きいほど間隔が短くかつ強度が大きい音）を発生する。
【００２７】
図１では、文書情報入力装置１１は、本体装置１２と別体に構成したが、本体装置１２と一体に構成してもよい。また、図１では、サーチ情報記憶装置１３を文書情報入力装置１１および本体装置１２と別体に構成したが、サーチ情報記憶装置１３を文書情報入力装置１１と一体に構成することもできる。
【００２８】
図２（Ａ）はＩＣタグＴが埋め込まれた粘着テープＡを示す図、図２（Ｂ）は粘着テープＡに文字が記載された例を示す図、図２（Ｃ）はＩＣタグＴの要部ブロック図である。
【００２９】
図２（Ａ）に示すようにＩＣタグＴは、ＩＣチップ３１と、ＩＣチップ３１から引き出されたアンテナ３２とからなり、粘着テープAに生め込まれている。また、図２（B）に示すように粘着テープAの表面には印刷装置１２３により文字列が印刷されている。図２（Ｃ）に示すように、ＩＣチップ３１は、受信回路３１１と、少なくともＩＤが格納されたメモリ３１２と、ＩＤ比較回路３１３と、送信回路３１４とを備えている。
【００３０】
図３は、ＩＣタグサーチ装置１４とＩＣタグＴとの信号のやり取りを説明する。ＩＣタグサーチ装置１４のサーチ回路１４２は、ＩＣタグＴにＩＤ付きのサーチ信号ＳＲＣＨを生成しており、サーチ信号ＳＲＣＨはサーチアンテナ１４３から所定の周期ＴＣ（たとえば０．５秒間隔）で発信される。
【００３１】
ユーザが、サーチ回路１４２がサーチアンテナ１４３からサーチ信号ＳＲＣＨを発信させた状態で、サーチアンテナ１４３を適宜の方向に向ける（探査しようとする書類があると思われる方向に向ける）と、サーチアンテナ１４３の指向性の範囲にある各ＩＣタグＴのＩＣチップ３１の受信回路３１１はアンテナ３２を介してサーチ信号ＳＲＣＨを受信する。
【００３２】
ＩＣタグＴの受信回路３１１は、自己のＩＤが、受信信号に含まれるＩＤと一致したときは、アンテナ３２から認識信号（ＡＣＫ）を発信する。
【００３３】
サーチ回路２４２は、ＡＣＫを受信すると（すなわちＩＣタグＴからの応答を受信すると）、受信信号の強度情報をインジケータ１４４に送出することができる。インジケータ１４４は、サーチ回路１４２から受け取った強度情報に応じて表示部に強度表示を行うとともに、発振音を発生する。
【００３４】
なお、文書情報入力装置１１をＩＣタグサーチ装置１３または本体装置１２と一体に構成することもできる。また、サーチ情報記憶装置１３を本体装置１２と一体に構成することもできる。図４に、文書情報入力装置１１をＩＣタグサーチ装置１３と一体に構成した例を示す。
【００３５】
文書情報入力装置１１に、キーボードやマウスと、イメージスキャナとが付属している場合には、これらを分離することもできる。たとえば、キーボードやマウスを、外部記憶装置がサーチ情報記憶装置１３として機能するコンピュータの文字入力機器とし、スキャナを当該コンピュータに接続されたイメージ入力機器とすることができる。
【００３６】
本体装置１２には、図５に示すように、ＩＣタグＴに、情報を書き込むＩＣタグ書込み装置１２４を備えることができる。たとえばＩＣタグＴに、ユーザが独自に定義したＩＤや日時等、あるいは分類用のキーワード等を書き込むようにしてもよい。
【００３７】
図６および図７により本発明の物品探査システムの第２実施形態を説明する。
図６において、物品探査システム２は、物品情報入力装置（図６では文書情報入力装置１１）、本体装置２２、サーチ情報記憶装置２３と、およびＩＣタグサーチ装置２４とを備えている。
文書情報入力装置２１は、第１実施形態の文書情報入力装置１１と同じである。
【００３８】
本体装置２２は、貼着体ホルダ２２１と、ＩＤ書込み装置２２２と、印刷装置２２３とを備えている。貼着体ホルダ２２１は、第１実施形態の貼着体ホルダ１２１と同じであるが、ＩＣタグＴが埋め込まれた粘着ラベルまたはテープ（図６では粘着テープＡ）がセットされる。ＩＤ書込み装置２２２は、貼着体ホルダ２２１にセットされた粘着テープＡに埋め込まれたＩＣタグＴにＩＤ（あるいは、さらに他の情報）を書き込む。印刷装置２２３は、第１実施形態の印刷装置１２３と同じであり、文書情報入力装置２１から入力された文書情報Ｉを粘着テープＡに印刷する。
【００３９】
サーチ情報記憶装置２３は、ＩＤ書込み装置２２２が書き込んだＩＤと文書情報入力装置２１から入力された文書情報Ｉとを関連付け、これらをサーチ情報ＳＩｎｆとして記憶する。サーチ情報記憶装置２３は第１実施形態のサーチ情報記憶装置１３と同じである。
【００４０】
ＩＣタグサーチ装置２４は、サーチ対象ＩＤ取得装置２４１と、サーチ回路２４２と、サーチアンテナ２４３と、インジケータ２４４を備えている。サーチ対象ＩＤ取得装置２４１は、第１実施形態のサーチ対象ＩＤ取得装置１４１と同じであり、サーチ回路２４２は、第１実施形態のサーチ回路１４２と同じである。また、サーチアンテナ２４３は、第１実施形態のサーチアンテナ１４３と同じであり、インジケータ２４４は、第１実施形態のインジケータ２４４と同じである。
【００４１】
図６では、文書情報入力装置２１は、本体装置２２と別体に構成したが、本体装置２２と一体に構成してもよい。また、図６では、サーチ情報記憶装置２３は、文書情報入力装置２１および本体装置２２と別体に構成したが、サーチ情報記憶装置２３を文書情報入力装置２１と一体に構成することもできる。
【００４２】
また、文書情報入力装置２１をＩＣタグサーチ装置２４または本体装置２２と一体に構成することもできる。また、サーチ情報記憶装置２３を本体装置１２と一体に構成することもできる。図７に、文書情報入力装置２１をＩＣタグサーチ装置２３と一体に構成した例を示す。
【００４３】
文書情報入力装置２１は、第１実施形態の文書情報入力装置１１と同様、キーボードやマウスと、イメージスキャナとが付属している場合には、これらを分離することもできる。
【００４４】
図８により、本発明の物品探査方法の第１実施形態を説明する。第１実施形態では物品探査方法は文書探査に応用されるもので、実施には図１の物品探査システム１が用いられる。
【００４５】
図８において、文書探査方法は、物品情報取得ステップ（本実施形態では、物品情報取得ステップ：Ｓ１０１）と、ＩＤ読取りステップ（Ｓ１０２）と、物品情報印刷ステップ（本実施形態では、文書情報印刷ステップ：Ｓ１０３）と、サーチ情報記憶ステップ（Ｓ１０４）と、貼着ステップ（Ｓ１０５）と、ＩＣタグサーチステップ（Ｓ１０６）とを有している。
【００４６】
文書情報取得ステップ（Ｓ１０１）では、文書情報Ｉを文書情報入力装置１１（図１参照）を用いて取得する。
ＩＤ読取りステップ（Ｓ１０２）では、貼着体ホルダ１２１（図１参照）にセットされた、ＩＣタグＴが埋め込まれた粘着テープＡの当該ＩＣタグのＩＤをＩＤ読取り装置１１２（図１参照）により読み取る。
【００４７】
文書情報印刷ステップ（Ｓ１０３）では、文書情報取得ステップ（Ｓ１０１）において取得した文書情報Ｉを粘着テープＡに印刷装置１２３（図１参照）により印刷する。
サーチ情報記憶ステップ（Ｓ１０４）では、文書情報取得ステップ（Ｓ１０１）において取得した文書情報ＩとＩＤ読取りステップ（Ｓ１０２）において読み取ったＩＤとを関連付けて、これらをサーチ情報としてサーチ情報記憶装置１３（図１参照）に記憶する。
【００４８】
貼着ステップ（Ｓ１０５）では、文書情報印刷ステップにおいて文書情報Ｉが印刷された粘着テープＡを文書に貼着する。
【００４９】
ＩＣタグサーチステップ（Ｓ１０６）では、サーチ対象となる文書に埋め込まれたＩＣタグのＩＤをサーチ情報記憶装置１３から取得し、当該ＩＤをもつＩＣタグをＩＣタグサーチ装置１４（図１参照）により無線サーチする。
【００５０】
図９により、本発明の物品探査方法の第２実施形態を説明する。第２実施形態では物品探査方法は文書探査に応用されるもので、実施には図６の物品探査システム２が用いられる。
【００５１】
図８において、文書探査方法は、物品情報取得ステップ（本実施形態では、物品情報取得ステップ：Ｓ２０１）と、ＩＤ書込みステップ（Ｓ２０２）と、物品情報印刷ステップ（本実施形態では、文書情報印刷ステップ：Ｓ２０３）と、サーチ情報記憶ステップ（Ｓ２０４）と、貼着ステップ（Ｓ２０５）と、ＩＣタグサーチステップ（Ｓ２０６）とを有している。
【００５２】
文書情報取得ステップ（Ｓ２０１）では、文書情報Ｉを文書情報入力装置２１（図６参照）を用いて取得する。
ＩＤ書込みステップ（Ｓ２０２）では、貼着体ホルダ２２１（図６参照）にセットされた、ＩＣタグＴが埋め込まれた粘着テープＡの当該ＩＣタグのＩＤをＩＤ読取り装置２１２（図６参照）により読み取る。
【００５３】
文書情報印刷ステップ（Ｓ２０３）では、文書情報取得ステップ（Ｓ２０１）において取得した文書情報Ｉを粘着テープＡに印刷装置２２３により印刷する。
【００５４】
サーチ情報記憶ステップ（Ｓ２０４）では、文書情報取得ステップ（Ｓ２０１）において取得した文書情報ＩとＩＤ読取りステップ（Ｓ１０２）において読み取ったＩＤとを関連付けて、これらをサーチ情報ＳＩｎｆとしてサーチ情報記憶装置２３に記憶する。
【００５５】
貼着ステップ（Ｓ２０５）では、文書情報印刷ステップにおいて文書情報Ｉが印刷された粘着テープＡを文書に貼着する。
ＩＣタグサーチステップ（Ｓ２０６）では、サーチ対象となる文書に埋め込まれたＩＣタグＴのＩＤをサーチ情報記憶装置２３から取得し、当該ＩＤをもつＩＣタグをＩＣタグサーチ装置２４により無線サーチする。
【図面の簡単な説明】
【００５６】
【図１】本発明の物品探査システムの第１実施形態を示すブロック図である。
【図２】ＩＣタグＴとＩＣタグサーチ装置の信号のやり取りを示す説明図であり、（Ａ）はＩＣタグの構成を示す図、（Ｂ）はＩＣタグサーチ装置とＩＣタグとの信号を示すタイミング図である。
【図３】図１の物品探査システムにおけるＩＣタグサーチ装置とＩＣタグとの信号のやり取りを示す説明図である。
【図４】物品探査システムの第１実施形態の設計変更例を示すブロック図である。
【図５】物品探査システムの第１実施形態の他の設計変更例を示すブロック図である。
【図６】本発明の物品探査システムの第１実施形態を示すブロック図である。
【図７】物品探査システムの第２実施形態の設計変更例を示すブロック図である。
【図８】本発明の物品探査方法の第１実施形態を示すフローチャートである。
【図９】本発明の物品探査方法の第２実施形態を示すフローチャートである。
【符号の説明】
【００５７】
１，２  物品探査システム
１１，２１  文書情報入力装置
１２，２２  本体装置
１３，２３  サーチ情報記憶装置
１４，２４  ＩＣタグサーチ装置
１２１，２５  貼着体ホルダ
１２２  ＩＤ読取り装置
１２３，２２３  印刷装置
１４１，２４１  サーチ対象ＩＤ取得装置
１４２，２４２  サーチ回路
１４３，２４３  ＩＣタグサーチアンテナ
１４４，２４４  インジケータ
２２２  ＩＤ書込み装置
Ｄ  文書
Ｉ  文書情報
ＳＩｎｆ  サーチ情報
Ｔ  ＩＣタグ
【図１】
2006220568.tif 000003
【図２】
2006220568.tif 000004
【図３】
2006220568.tif 000005
【図４】
2006220568.tif 000006
【図５】
2006220568.tif 000007
【図６】
2006220568.tif 000008
【図７】
2006220568.tif 000009
【図８】
2006220568.tif 000010
【図９】
2006220568.tif 000011